(57)【要約】【課題】電解水に含まれる次亜塩素酸の濃度の低下を抑制し、かつ、噴霧用ノズルに至る流路の圧力損失を低下することが可能な浴室洗浄装置を提供する。【解決手段】水道水に浸漬した電極間に電流を流すことによって次亜塩素酸を含む電解水を生成する電解水生成装置６と、電解水を含む洗浄液を噴霧する噴霧用ノズル（浴室洗浄用ノズル４）を有し、電解水を含む洗浄液を噴霧用ノズルから噴霧することによって浴室洗浄を行う浴室洗浄装置本体１と、浴室洗浄装置本体の運転を制御する制御部と、浴室洗浄の実行を指示する洗浄指示部と、を備えた浴室洗浄装置は、水道水を加熱してミスト用温水を生成するミスト用熱交換器１１と、生成される電解水の流路６１ａと、生成されるミスト用温水の流路６２ａと、電解水の流路とミスト用温水の流路とが合流する合流点５１と、合流点より下流側に位置する下流側流路１１６とを備え、下流側流路に噴霧用ノズルが配設されている。【選択図】図１
2018082795.tif 000002
【特許請求の範囲】
【請求項１】
電極を有し、外部から供給される水道水を被電解水として、この被電解水に浸漬した前記電極間に電流を流すことによって、次亜塩素酸を含む電解水を生成する電解水生成装置と、
前記電解水生成装置によって生成される電解水を含む洗浄液を噴霧する噴霧用ノズルを有し、
前記電解水を含む洗浄液を前記噴霧用ノズルから噴霧することによって浴室洗浄を行う浴室洗浄装置本体と、
前記浴室洗浄装置本体の運転を制御する制御部と、
前記浴室洗浄の実行を指示する洗浄指示部と、
を備えた浴室洗浄装置であって、
前記水道水が前記電解水生成装置の上流側に設けられた分岐点で分岐されてミスト用水として供給され、このミスト用水を加熱してミスト用温水を生成するミスト用熱交換器と、
前記電解水生成装置によって生成される電解水の流路と、
前記ミスト用熱交換器によって生成されるミスト用温水の流路と、
前記電解水の流路と前記ミスト用温水の流路とが所定の位置で合流する合流点と、
前記合流点より下流側に位置する下流側流路と、を備え、
前記下流側流路に、前記電解水を含む前記洗浄液を噴霧する前記噴霧用ノズルが配設されていること
を特徴とする浴室洗浄装置。
【請求項２】
前記電解水生成装置への水道水の通流および非通流と、前記ミスト用熱交換器への水道水の通流および非通流とを、個別に切り替える通流切替部をさらに備えていることを特徴とする請求項１に記載の浴室洗浄装置。
【請求項３】
前記電解水生成装置によって生成される電解水、および、前記ミスト用熱交換器によって生成されるミスト用温水が前記合流点で合流して生成される洗浄液が前記噴霧用ノズルから噴霧される電解温水洗浄モードの実行と、前記電解水生成装置によって生成される電解水が前記ミスト用温水と合流することなく前記噴霧用ノズルから噴霧される電解水洗浄モードの実行とを指令する洗浄モード指令部をさらに備え、
前記洗浄モード指令部による指令に応じて、前記制御部が、前記通流切替部を制御することにより、前記電解温水洗浄モードと前記電解水洗浄モードの切替が行われることを特徴とする請求項２に記載の浴室洗浄装置。
【発明の詳細な説明】
【技術分野】
【０００１】
本発明は、浴室洗浄装置に関し、詳しくは、電解水を含む洗浄液を噴霧することで浴室洗浄を行う浴室洗浄装置に関する。
【背景技術】
【０００２】
浴室の天井等から洗浄液を噴霧することによって浴室洗浄を行う浴室洗浄装置が知られている。そのような浴室洗浄装置の一つとして、特許文献１には、電解水を含む洗浄液を噴霧して浴室洗浄を行う機能と、ミストサウナとしての機能とを有する浴室洗浄装置が記載されている。
【０００３】
この特許文献１に記載の浴室洗浄装置には、浴室洗浄兼ミスト用給水管路が配管されており、この管路途中に、水道水から次亜塩素酸を含む電解水を生成する電解水生成装置が配置されている。また、浴室洗浄兼ミスト用給水管路の電解水生成装置よりも下流側に、ミスト用熱交換器が配置されている。このような構成により、電解水生成装置によって生成される、次亜塩素酸を含む電解水をミスト用熱交換器で加熱してから噴霧することができ、次亜塩素酸による殺菌効果と、温水による洗浄効果を同時に得ることができる。
【先行技術文献】
【特許文献】
【０００４】
【特許文献１】特開２０１１−２４４８８７号公報
【発明の概要】
【発明が解決しようとする課題】
【０００５】
しかしながら、特許文献１に記載の浴室洗浄装置では、電解水生成装置によって生成された電解水を、ミスト用熱交換器で直接加熱する構成となっているので、電解水に含まれる次亜塩素酸の濃度が低下して、殺菌効果が低下する懸念がある。
【０００６】
また、電解水生成装置とミスト用熱交換器が直列に配置されているので、浴室洗浄用ノズルに至る流路における水の通過抵抗が大きくなり、噴霧用ノズルに至る流路の圧力損失が増大する。
【０００７】
本発明は、上記課題を解決するものであり、電解水に含まれる次亜塩素酸の濃度の低下を抑制し、かつ、噴霧用ノズルに至る流路の圧力損失を低下することが可能な浴室洗浄装置を提供することを目的とする。
【課題を解決するための手段】
【０００８】
上記の目的を達成するために、本発明の浴室洗浄装置は、
電極を有し、外部から供給される水道水を被電解水として、この被電解水に浸漬した前記電極間に電流を流すことによって、次亜塩素酸を含む電解水を生成する電解水生成装置と、
前記電解水生成装置によって生成される電解水を含む洗浄液を噴霧する噴霧用ノズルを有し、
前記電解水を含む洗浄液を前記噴霧用ノズルから噴霧することによって浴室洗浄を行う浴室洗浄装置本体と、
前記浴室洗浄装置本体の運転を制御する制御部と、
前記浴室洗浄の実行を指示する洗浄指示部と、
を備えた浴室洗浄装置であって、
前記水道水が前記電解水生成装置の上流側に設けられた分岐点で分岐されてミスト用水として供給され、このミスト用水を加熱してミスト用温水を生成するミスト用熱交換器と、
前記電解水生成装置によって生成される電解水の流路と、
前記ミスト用熱交換器によって生成されるミスト用温水の流路と、
前記電解水の流路と前記ミスト用温水の流路とが所定の位置で合流する合流点と、
前記合流点より下流側に位置する下流側流路と、を備え、
前記下流側流路に、前記電解水を含む前記洗浄液を噴霧する前記噴霧用ノズルが配設されていること
を特徴とする。
【０００９】
本発明の浴室洗浄装置では、前記電解水生成装置への水道水の通流および非通流と、前記ミスト用熱交換器への水道水の通流および非通流とを、個別に切り替える通流切替部をさらに備えていること
が好ましい。
【００１０】
また、前記電解水生成装置によって生成される電解水、および、前記ミスト用熱交換器によって生成されるミスト用温水が前記合流点で合流して生成される洗浄液が前記噴霧用ノズルから噴霧される電解温水洗浄モードの実行と、前記電解水生成装置によって生成される電解水が前記ミスト用温水と合流することなく前記噴霧用ノズルから噴霧される電解水洗浄モードの実行とを指令する洗浄モード指令部をさらに備え、
前記洗浄モード指令部による指令に応じて、前記制御部が、前記通流切替部を制御することにより、前記電解温水洗浄モードと前記電解水洗浄モードの切替が行われること
が好ましい。
【発明の効果】
【００１１】
本発明の浴室洗浄装置においては、上述のように、電解水生成装置によって生成される電解水の流路と、ミスト用熱交換器によって生成されるミスト用温水の流路と、電解水の流路とミスト用温水の流路とが所定の位置で合流する合流点と、合流点より下流側に位置する下流側流路と、を備えるとともに、下流側流路に、電解水を含む洗浄液を噴霧する噴霧用ノズルを配設するようにしているので、電解水をミスト用温水と混合した、温度が高く、洗浄効率の高い洗浄液を噴霧用ノズルから浴室に噴霧して、浴室を洗浄することができる。また、電解水とミスト用温水とが合流して生成される洗浄液を噴霧可能な構成とされているので、電解水がミスト用熱交換器で直接加熱されることを回避して、電解水に含まれる次亜塩素酸の濃度の低下を抑制し、次亜塩素酸による殺菌効果と、温水による洗浄効果を同時に得ることができる。
【００１２】
また、電解水生成装置とミスト用熱交換器とが分岐点と合流点との間で並列に配置される構成とされているので、電解水生成装置とミスト用熱交換器とが直列に配置されている構成と比べて、噴霧用ノズルに至る流路の圧力損失を低下させることができる。
【００１３】
また、本発明の浴室洗浄装置においては、ミスト用温水の流路と、電解水の流路とを備え、両者を所定の合流点で合流させるようにしているが、ミスト用温水の流路にミスト用温水を供給しないようにすれば、ミスト用温水と混合されていない次亜塩素酸濃度の高い電解水を洗浄液として噴霧用ノズルから浴室に噴霧することもできる。この場合、次亜塩素酸濃度の高い電解水が洗浄液として用いられるので、ミスト用温水が混合されることにより昇温せず、常温での洗浄となるため、温度による洗浄効率の向上は期待できないとしても、次亜塩素酸濃度の高い洗浄液による洗浄が行われることになるため、そのことによる洗浄効率の向上を期待することができる。
【００１４】
また、電解水生成装置への水道水の通流および非通流と、ミスト用熱交換器への水道水の通流および非通流とを、個別に切り替える切替部をさらに備える構成とした場合、用途に応じて、電解水生成装置およびミスト用熱交換器への水道水の通流および非通流を個別に切り替えて、電解水生成装置への無用な水道水の通流や、ミスト用熱交換器への無用な水道水の通流を抑制することができ、浴室洗浄装置の耐久性を向上することができる。
【００１５】
また、電解温水洗浄モードの実行と電解水洗浄モードの実行とを指令する洗浄モード指令部をさらに備え、洗浄モード指令部による指令に応じて、制御部が、切替部を制御する構成とした場合、状況に応じて、電解温水洗浄モードの実行、または、電解水洗浄モードの実行を選択することができるので、使い勝手が向上する。
【図面の簡単な説明】
【００１６】
【図１】本発明の一実施形態の浴室洗浄装置の配管図である。
【図２】本発明の一実施形態の浴室洗浄装置の概略構成図である。
【図３】本発明の一実施形態の浴室洗浄装置を浴室の天井部に設置した場合の斜視図である。
【図４】本発明の一実施形態の浴室洗浄装置を制御する制御部の説明図である。
【発明を実施するための形態】
【００１７】
以下、本発明の実施形態を示して、その特徴とするところをさらに詳しく説明する。
【００１８】
［実施形態］
この実施形態では、まず、この実施形態にかかる浴室洗浄装置の基本構成について説明した後、特徴的構成について説明する。
【００１９】
＜基本構成＞
図１〜図４を参照しながら、本発明の一実施形態における浴室洗浄装置について説明する。図１は、一実施形態における浴室洗浄装置の配管例を示す図であり、図２は、一実施形態における浴室洗浄装置の概略構成図である。図３は、一実施形態の浴室洗浄装置を浴室の天井部に設置した場合の斜視図であり、図４は、一実施形態の浴室洗浄装置を制御する制御部３９の説明図である。
【００２０】
本実施形態の浴室洗浄装置は、浴室洗浄装置本体１と、浴室洗浄装置本体１の運転を制御する制御部３９（図４参照）とを備える。
【００２１】
浴室洗浄装置本体１は、次亜塩素酸を含む電解水を噴霧することによる浴室洗浄機能に加えて、ミストサウナとしての機能と、浴室暖房乾燥機（換気装置）としての機能とを備えた複合的な装置であり、浴室１３の天井部に設置される。浴室１３の外には、リモコン操作を可能とする操作入力部１５が設けられている（図３参照）。
【００２２】
操作入力部１５には、「浴室洗浄スイッチ」、「ミストサウナ運転スイッチ」、「暖房運転スイッチ」、「換気運転スイッチ」、「乾燥運転スイッチ」、「涼風運転スイッチ」等のスイッチ類（図示せず）が設けられている。
【００２３】
浴室洗浄装置本体１は、図１に示すように、通電により次亜塩素酸を含む電解水を生成する電解水生成装置６と、浴室１３内に温風を供給する暖房機２と、浴室洗浄用ノズル（噴霧用ノズル）４とミストサウナ用ノズル１０とを備えるミスト噴霧装置３と、浴室１３内の空気を吸い込んで屋外に排出する換気ファン４２と、これらを制御する制御部３９とで、主体が構成される。
【００２４】
制御部３９はマイクロコンピュータからなり、図４に示すように、操作入力部１５から指令されるリモコン信号に加えて、浴室温度センサ９、温水往き温度センサ１７、ミスト温度センサ１８、温水戻り温度センサ２１からの各検知信号を受信し、これら各検知信号に基づいて、暖房機２、ミスト噴霧装置３のミストサウナ用電磁弁２２および浴室洗浄用電磁弁２３、電解水生成装置６、および換気ファン４２等を駆動制御する。
【００２５】
図２に示すように、換気用ダクト４１内には換気ファン４２が設けられている。この換気ファン４２と、換気用ダクト４１の換気出口との間には、逆風圧などによる屋外からの空気の逆流を防止する逆流防止シャッタ２４が設けられている。逆流防止シャッタ２４は、換気時には換気による風圧で支点を中心に揺動することで開放され、換気停止時には自重で換気用ダクト４１を閉塞し、外気の浴室１３内への侵入を防止する。
【００２６】
換気時にファンモータ３５を作動させると、浴室１３内の空気は、換気ファン４２により換気用ダクト４１およびベントキャップ４０を経て屋外空間に放出される。
【００２７】
浴室洗浄装置本体１の機器ケーシング２５内には、図１に示すように、循環ファン５と、循環ファン５により通風される空気を熱源機１４（図３参照）から供給される温水によって加熱する暖房用熱交換器７と、暖房用熱交換器７への温水の供給量を調節する熱動弁８とがそれぞれ収納されている。
【００２８】
暖房用熱交換器７は、熱源機１４から供給される温水が循環する暖房用温水管路１６の途中に配置されている。暖房用温水管路１６の途中であって、暖房用熱交換器７よりも上流の位置に配置されている熱動弁８を開弁すると、暖房用熱交換器７に温水が流れる。これにより、循環ファン５により通風される空気が暖房用熱交換器７によって加熱され、下方の温風吹き出し口３１に設けた可動ルーバ３０（図２参照）から浴室１３内に供給される。
【００２９】
なお、暖房用温水管路１６には、熱源機１４から供給される温水の温度を検知するための温水往き温度センサ１７が設けられている。
【００３０】
暖房用温水管路１６の途中には、ミスト加熱用温水管路１９が分岐接続されている。ミスト加熱用温水管路１９は、機器ケーシング２５上のミストボックス３２内に収納された液々熱交換器からなるミスト用熱交換器１１に温水を供給するための管路である。
【００３１】
ミスト加熱用温水管路１９の上流端は、暖房用温水管路１６の、熱動弁８よりも上流位置に分岐接続されており、下流端は、暖房用温水管路１６の、暖房用熱交換器７よりも下流位置に合流接続されている。このような構造により、熱動弁８の閉弁時に、熱源機１４から供給される温水は、熱動弁８および暖房用熱交換器７には流れず、ミスト加熱用温水管路１９内を流れる。
【００３２】
＜特徴的構成＞
次に、本発明の一実施形態における浴室洗浄装置の特徴的な構成について説明する。
【００３３】
ミストボックス３２内には、次亜塩素酸を含む電解水を生成する電解水生成装置６が設けられている。
【００３４】
電解水生成装置６は、水道水を貯留するための電解槽および電極を備えている。外部の水道管から供給される水道水を被電解水として貯留槽に貯留し、被電解水に浸漬した電極間に直流電流を流す。これにより、正極では、供給される水道水中に含まれる塩素イオン（２Ｃｌ-）が酸化反応により電子（２ｅ-）を奪われて塩素（Ｃｌ2）が発生するとともに、液中では、発生した塩素（Ｃｌ2）が水（Ｈ2Ｏ）と反応して、殺菌作用を有する次亜塩素酸（ＨＣｌＯ）が生成される。また、負極では、還元反応により、水素イオン（２Ｈ+）と電子（２ｅ-）とが結合して、水素ガス（Ｈ2）が発生する。このような反応により、次亜塩素酸を含む電解水が生成される。
【００３５】
本実施形態における浴室洗浄装置では、外部の水道管から供給される水道水が、分岐点５０において、浴室洗浄用給水管路６１と、ミスト用給水管路６２とに分流可能なように構成されている。浴室洗浄用給水管路６１は電解水生成装置６と接続されており、電解水生成装置６よりも上流側に、電解水電磁弁６３が設けられている。また、ミスト用給水管路６２はミスト用熱交換器１１と接続されており、ミスト用熱交換器１１よりも上流側に、熱交電磁弁６４が設けられている。
【００３６】
また、電解水生成装置６の下流側には、電解水生成装置６によって生成される電解水の流路６１ａが設けられており、ミスト用熱交換器１１の下流側には、ミスト用熱交換器１１によって生成されるミスト用温水の流路６２ａが設けられている。
【００３７】
また、本実施形態における浴室洗浄装置は、電解水の流路６１ａとミスト用温水の流路６２ａとが所定の位置で合流する合流点５１と、合流点５１より下流側に位置する下流側流路１１６と、をさらに備えている。なお、下流側流路１１６は、ミストサウナ用電磁弁２２が設けられている流路１１６ａと、浴室洗浄用電磁弁２３が設けられている流路１１６ｂに分岐している。
【００３８】
そして、この下流側流路１１６に、洗浄液を浴室１３に噴霧する上述の浴室洗浄用ノズル（噴霧用ノズル）４が配設されている。なお、浴室洗浄用ノズル（噴霧用ノズル）４は、下流側流路１１６の下端部、より詳細には、流路１１６ｂの下端部に配設されている。
【００３９】
分岐点５０でミスト用給水管路６２へと分流した水道水は、ミスト用水としてミスト用熱交換器１１に供給され、ミスト用熱交換器１１で加熱されて、ミスト用温水となる。このミスト用温水は、合流点５１で、電解水生成装置６で生成される電解水と合流して、浴室洗浄用ノズル（噴霧用ノズル）４から噴霧可能なように構成されている。
【００４０】
本実施形態における浴室洗浄装置は、上述のように構成されることにより、電解水とミスト用温水とが合流点５１で合流して洗浄用温水となって、浴室洗浄用ノズル４から噴霧可能なように構成されている。これにより、電解水生成装置６で生成される電解水が、温度の高いミスト用熱交換器１１の内部流路を通流することを回避することができるので、電解水に含まれる次亜塩素酸の濃度の低下を抑制することができる。
【００４１】
なお、浴室洗浄用給水管路６１には、電解水生成装置６と直列に、オリフィス６５（図２参照）が配置されており、ミスト用熱交換器１１を通過する水道水の通過流量と、電解水生成装置６を通過する水道水の通過流量との比率を、所望の比率に調整可能なように構成されている。ただし、通過流量の比率の調整は、他の方法により行うことも可能であり、例えば、オリフィス６５の代わりに可変流量弁を配置して、制御部３９がミスト用熱交換器１１を通過する水道水の通過流量と、電解水生成装置６を通過する水道水の通過流量との比率を、所望の比率に調整する構成としてもよい。
【００４２】
また、本実施形態における浴室洗浄装置では、電解水生成装置６とミスト用熱交換器１１とが、分岐点５０と合流点５１との間で並列に配置されているので、電解水生成装置６とミスト用熱交換器１１とが直列に配置されている構成と比べて、浴室洗浄用ノズル４に至る流路の圧力損失を低下させることができる。
【００４３】
上述したように、浴室洗浄用給水管路６１には、電解水電磁弁６３が設けられ、ミスト用給水管路６２には、熱交電磁弁６４が設けられている。
【００４４】
電解水電磁弁６３は、電解水生成装置６への水道水の通流および非通流を切り替えることができる。また、熱交電磁弁６４は、ミスト用熱交換器１１への水道水の通流および非通流を切り替えることができる。
【００４５】
すなわち、電解水電磁弁６３および熱交電磁弁６４は、電解水生成装置６への水道水の通流および非通流と、ミスト用熱交換器１１への水道水の通流および非通流とを、個別に切り替えることができる通流切替部を構成する。これにより、用途に応じて、電解水生成装置６およびミスト用熱交換器１１への水道水の通流および非通流を個別に切り替えることができるので、電解水生成装置６への無用な水道水の通流や、ミスト用熱交換器１１への無用な水道水の通流を抑制することができ、浴室洗浄装置の耐久性を向上することができる。
【００４６】
本実施形態における浴室洗浄装置では、ユーザが操作入力部１５を適宜操作することで、電解水生成装置６によって生成される電解水と、ミスト用熱交換器１１によって生成されるミスト用温水とが合流点５１で合流して生成される洗浄液が浴室洗浄用ノズル４から噴霧される電解温水洗浄モードの実行と、電解水生成装置６によって生成される電解水が、ミスト用熱交換器１１によって生成されるミスト用温水と合流することなく、浴室洗浄用ノズル４から噴霧される電解水洗浄モードの実行とを指令することができるように構成されている。
【００４７】
すなわち、浴室洗浄の実行を指示する洗浄指示部として機能する操作入力部１５は、電解温水洗浄モードの実行と、電解水洗浄モードの実行とを指令する洗浄モード指令部を構成する。
【００４８】
そして、ユーザによる操作入力部１５の操作に応じて、制御部３９が、通流切替部を構成する電解水電磁弁６３および熱交電磁弁６４を制御する。
【００４９】
このように、状況に応じて、電解温水洗浄モードの実行、または、電解水洗浄モードの実行が選択できるので、ユーザにとって使い勝手が良い。
【００５０】
図１および図２に示すように、合流点５１よりも下流側に位置する下流側流路１１６は、ミストサウナ用電磁弁２２が設けられている流路１１６ａと、浴室洗浄用電磁弁２３が設けられている流路１１６ｂに分岐しており、ミストサウナ用電磁弁２２の下流側にはミストサウナ用ノズル１０が接続され、浴室洗浄用電磁弁２３の下流側には浴室洗浄用ノズル４が接続されている。本実施形態では、合流点５１から浴室洗浄用ノズル４に至る流路の長さは、合流点５１からミストサウナ用ノズル１０に至る流路の長さよりも短くなるように構成されている。
【００５１】
浴室洗浄用ノズル４およびミストサウナ用ノズル１０はそれぞれ、機器ケーシング２５の下面の開口孔から浴室１３内に臨んで配置されている。
【００５２】
本実施形態では、ミストサウナ用電磁弁２２が開弁したときには、５０〜１００μｍ程度の粒子径の水滴が噴霧され、ミストサウナを楽しむことができる。なお、このミストサウナ用電磁弁２２が開弁したとき、熱交電磁弁６４は開弁し、電解水電磁弁６３は閉弁する。
【００５３】
また、浴室洗浄用電磁弁２３が開弁したときには、浴室洗浄用ノズル４から１００〜３００μｍ程度の粒子径の水滴が噴霧され、浴室洗浄に供される。なお、この浴室洗浄用電磁弁２３が開弁したときは、電解水電磁弁６３は開弁し、熱交電磁弁６４は、操作入力部１５の操作に応じて開弁または閉弁する。
【００５４】
なお、暖房用温水管路１６から分岐されたミスト加熱用温水管路１９の途中には、水比例弁１２と、温水戻り温度センサ２１とが設置されている（図１参照）。
【００５５】
水比例弁１２は、ミスト加熱用温水管路１９からミスト用熱交換器１１に供給される水の温度が適切な温度になったときに、ミスト用熱交換器１１に供給される温水の流量の調節を行うためのものである。水比例弁１２を全閉にすることにより、ミスト用熱交換器１１に供給される温水を遮断することができる。
【００５６】
温水戻り温度センサ２１は、ミスト用熱交換器１１を通流して熱源機１４に戻る循環温水の温度を検知する。
【００５７】
また、合流点５１よりも下流側に位置する下流側流路１１６に、ミスト用熱交換器１１によって生成されるミスト用温水と、電解水生成装置６で生成される電解水とが合流した水の温度を検知するためのミスト温度センサ１８が設置されている。
【００５８】
次に、ミストサウナ運転開始動作の一例について説明する。
【００５９】
操作入力部１５の「ミストサウナ運転スイッチ」が押されると、ミストサウナ運転開始を指令する信号が制御部３９（図４参照）に送られる。
【００６０】
制御部３９は、温水供給用の熱源機１４（図３参照）に対して運転信号を出力して、熱源機１４に暖房運転を開始させた後、熱動弁８および水比例弁１２をそれぞれ開弁させる。これにより、８０℃の循環温水が暖房用温水管路１６内およびミスト加熱用温水管路１９内を循環し始める。
【００６１】
温水往き温度センサ１７によって検知される温水往き温度が６０℃以上になると、制御部３９は、循環ファン５を作動させて、浴室１３内に温風を送る。その後、浴室温度センサ９によって検知される浴室温度が２５℃以上になると、制御部３９は、ミストサウナ用電磁弁２２を開弁させて、ミストサウナ用ノズル１０を通じて温水のミスト噴霧を開始する。
【００６２】
本実施形態では、サウナ用ミストの水滴の粒子径が５０〜１００μｍ程度となり、１００μｍ以下のものが大半を占めるように、ミストサウナ用ノズル１０のノズル孔径と噴霧流量とを設定している。具体的には、ミストサウナ用ノズル１０の孔径を０．７ｍｍ程度、噴霧流量を０．２５〜０．５リットル／分に設定している。これにより、サウナ用ミストの水滴が浴室１３内を浮遊しやすくしている。
【００６３】
次に、浴室洗浄運転動作の一例について説明する。
【００６４】
まず、電解水を含まない温水による浴室洗浄について説明する。操作入力部１５の「浴室洗浄スイッチ」が押されると、浴室洗浄運転開始を指令する信号が制御部３９に送られる。制御部３９は、温水供給用の熱源機１４（図３参照）に運転信号を出力して、熱源機１４に暖房運転を開始させた後、水比例弁１２を開弁させる。これにより、８０℃の循環温水がミスト加熱用温水管路１９内を循環し始め、ミスト用熱交換器１１に温水が供給される。
【００６５】
その後、制御部３９は、熱交電磁弁６４および浴室洗浄用電磁弁２３を開弁する。このとき、電解水電磁弁６３は閉弁している。これにより、水道管から供給される水道水は、ミスト用熱交換器１１で加熱され、浴室洗浄用ノズル４から、温水のミストが噴霧される。このように、温水を噴霧することにより、浴室１３の内壁や床等に付着している石鹸カスや皮脂等を効果的に洗い流すことができる。
【００６６】
なお、温水による洗浄では、温度が上昇してカビや雑菌等の微生物が繁殖しやすい状態にある。そこで、洗浄した後に浴室１３の内壁等の被洗浄物の温度を低下させるため、水比例弁１２を全閉とし、熱源機１４から供給される循環温水のミスト加熱用温水管路１９への流入を停止させる。これにより、ミスト用熱交換器１１の加熱を停止させて、浴室洗浄用ノズル４から噴霧される洗浄液の温度を、水道管から供給される水道水の温度（常温）程度にまで低下させることができる。
【００６７】
さらに高い洗浄効果を得るためには、制御部３９からの指令により、浴室洗浄運転中に電解水生成装置６への通電を行って次亜塩素酸を発生させ、浴室洗浄用ノズル４から、次亜塩素酸が含まれた電解水からなる洗浄液を噴霧させる。
【００６８】
例えば、次亜塩素酸が含まれた常温の電解水が含まれる温水を用いて浴室洗浄を行う場合、制御部３９は、電解水電磁弁６３および熱交電磁弁６４の両方を開弁する。これにより、電解水生成装置６によって生成される、次亜塩素酸が含まれた電解水と、ミスト用熱交換器１１によって生成されるミスト用温水とが合流点５１で合流して、浴室洗浄用電磁弁２３を経由して浴室洗浄用ノズル４から噴霧される。
【００６９】
また、水温（常温）の次亜塩素酸が含まれた電解水を用いて浴室洗浄を行う場合、制御部３９は、電解水電磁弁６３を開弁し、熱交電磁弁６４は閉弁する。これにより、電解水生成装置６で生成された電解水は、合流点５１で水や温水によって希釈されずに浴室洗浄用ノズル４から噴霧されるので、電解水に含まれる次亜塩素酸の濃度を高く維持することができ、大きい殺菌効果を得ることができる。
【００７０】
このように、次亜塩素酸が含まれた電解水が含まれる洗浄液を浴室洗浄用ノズル４から噴霧することにより、次亜塩素酸の殺菌効果により、被洗浄物の殺菌をより効果的に行うことができる。
【００７１】
上述したように、洗浄の態様として、電解水を含まない温水を用いて洗浄を行う態様、電解水を含まない常温の水を用いて洗浄を行う態様、次亜塩素酸を含む電解水をミスト用温水と合流させることにより昇温させた洗浄液を用いる態様、および、次亜塩素酸を含む電解水をミスト用温水と合流させずに常温の洗浄液として用いる態様の４つの態様がある。この４つの態様のうちどの態様で洗浄を行うかは、ユーザが操作入力部１５の操作によって選択することができる。操作入力部１５の操作によって、洗浄の態様が選択されると、制御部３９は、電解水電磁弁６３の開閉、熱交電磁弁６４の開閉、水比例弁１２の開閉、および、電解水生成装置６への通電のオン／オフを、上述したように適宜制御することにより、選択された態様での洗浄を行う。
【００７２】
なお、浴室洗浄用ノズル４の孔径と噴霧流量とは、噴霧される洗浄液（常温の水、温水、常温の電解水、または、電解水を暖かいミスト用温水と混合した洗浄液）の水滴が空中に浮遊しにくい、１００〜３００μｍ程度の粒子径で、粒子径の平均値が１５０μｍ程度となるように設定している。これにより、浴室洗浄用ノズル４から噴霧される洗浄液は、浴室１３の内壁や床などの洗浄対象物に直接衝突、または、浴室１３の内壁をつたって落下することにより、洗浄対象物に付着しやすくなり、洗浄対象物の洗浄が効果的に行われる。
【００７３】
［別実施形態］
上記実施形態では、電解水生成装置６への水道水の通流および非通流を切り替える電解水電磁弁６３と、ミスト用熱交換器１１への水道水の通流および非通流とを切り替える熱交電磁弁６４を備えた浴室洗浄装置であって、洗浄モード指令部により、電解水生成装置６およびミスト用熱交換器１１への水道水の通流および非通流とを個別に切り替えることで、洗浄モードを切り替えることができるように構成された浴室洗浄装置について説明したが、本発明の浴室洗浄装置は、上記実施形態の浴室洗浄装置において、電解水電磁弁６３、熱交電磁弁６４、洗浄モード指令部などを備えず、合流点５１で、電解水生成装置６により生成された電解水と、ミスト用熱交換器１１で生成されたミスト用温水が合流し、昇温した洗浄液が浴室洗浄用ノズル４から噴霧される態様でのみ洗浄が行われるような構成とすることも可能である。
【００７４】
この構成の場合、電解水電磁弁６３、熱交電磁弁６４、洗浄モードを切り替える洗浄モード指令部などが不要になるため、簡潔で製造コストの低い浴室洗浄装置を提供することができる。
【００７５】
本発明は、さらにその他の点においても、上記実施形態に限定されるものではなく、本発明の範囲内において種々の変形を加えることが可能である。
【符号の説明】
【００７６】
１      浴室装置本体
２      暖房機
３      ミスト噴霧装置
４      浴室洗浄用ノズル
５      循環ファン
６      電解水生成装置
７      暖房用熱交換器
８      熱動弁
９      浴室温度センサ
１０    ミストサウナ用ノズル
１１    ミスト用熱交換器
１２    水比例弁
１３    浴室
１４    熱源機
１５    操作入力部
１６    暖房用温水管路
１７    温水往き温度センサ
１８    ミスト温度センサ
１９    ミスト加熱用温水管路
２１    温水戻り温度センサ
２２    ミストサウナ用電磁弁
２３    浴室洗浄用電磁弁
２４    逆流防止シャッタ
２５    機器ケーシング
３０    可動ルーバ
３１    温風吹き出し口
３２    ミストボックス
３５    ファンモータ
３９    制御部
４０    ベントキャップ
４１    換気用ダクト
４２    換気ファン
５０    分岐点
５１    合流点
６１    浴室洗浄用給水管路
６１ａ  電解水の流路
６２    ミスト用給水管路
６２ａ  ミスト用温水の流路
６３    電解水電磁弁
６４    熱交電磁弁
６５    オリフィス
１１６  下流側流路
１１６ａ  ミストサウナ用電磁弁が設けられている流路
１１６ｂ  浴室洗浄用電磁弁が設けられている流路
【図１】
2018082795.tif 000003
【図２】
2018082795.tif 000004
【図３】
2018082795.tif 000005
【図４】
2018082795.tif 000006